(57)【要約】      （修正有）【課題】鑑賞用魚へ餌を与える際に、水面に投入された餌が鑑賞用魚が食べずに水中に沈み、特に底面に敷かれた石等に付着し腐敗することによる水の汚れを防止する用具を提供する。【解決手段】筒状の餌投入口と餌投入口と同一形状、同一大きさの受け皿とを支持部材により間隔を置いて一体化した構成の鑑賞用魚に餌を与える用具で、餌投入口水面に投入した餌を鑑賞用魚が餌投入口と受け皿の間より入って食べ得るようにすると共に、鑑賞用魚が食べないで沈んだ餌を受け皿にて受けて石等に付着するのを防止して腐敗を防ぐようにした。【選択図】図１
0003149133.tif 000002
【実用新案登録請求の範囲】
【請求項１】
筒状の餌投入口と、餌投入口と端面が同一形状、同一大きさの受け皿と、前記餌投入口と前記受け皿とを間隔を置いて上下方向に配置、固定する支持部材とよりなり、水槽に設置した上で前記餌投入口より餌を投入し魚に与えるようにした鑑賞用魚に餌を与える用具。
【請求項２】
前記支持部材が平板状である請求項１の鑑賞用魚に餌を与える用具。
【請求項３】
前記受け皿の底面中央を凸状としたことを特徴とする請求項１又は２の鑑賞用魚に餌を与える用具。
【請求項４】
前記餌投入口の端面および前記受け皿の端面が多角形である請求項１、２又は３の鑑賞用魚に餌を与える用具。
【請求項５】
前記受け皿の端面の大きさが前記餌投入口の端面の大きさより大である請求項１、２、３又は４の鑑賞用魚に餌を与える用具。
【請求項６】
合成樹脂材料にて形成された請求項１、２、３、４又は５の鑑賞用魚に餌を与える用具。
【請求項７】
前記合成樹脂材料が透明である請求項６の鑑賞用魚に餌を与える用具。
【請求項８】
陶磁器にて形成された請求項１、２、３、４又は５の鑑賞用魚に餌を与える用具。
【考案の詳細な説明】
【技術分野】
【０００１】
本考案は熱帯魚・金魚等の鑑賞用魚に餌を与える際に使用する用具に関するものである。
【背景技術】
【０００２】
熱帯魚・金魚等の鑑賞用魚は、透明な水槽に入れて飼われる。この水槽にて飼われる魚に餌を与える際、一般に水面に浮く餌を投入する。この水槽内の水面に投入された餌のうち、魚が食べる前に沈むものや、魚が食べ残した餌が次第に沈むもの等がある。このように、水槽中に投入された餌のうち、水面より沈む餌が水槽の底面に達する。
【０００３】
一方、水槽の底面には一般に石が敷かれている。そのため、前述のような投入された餌で水槽底面に沈んだ餌は、水槽に敷かれた石の表面に付着したり、石と石の間に入るものがある。
【０００４】
これら石に付着する等した餌は、時間がたつにつれ腐敗し、この腐敗した餌等が水槽内の水の汚れの原因となる。
【０００５】
したがって、水槽内の水は時折交換する必要がある。しかし、水槽に敷かれた石等に付着した餌等は、単なる水の交換のみではほとんどぬぐいさることができない。したがって、単なる水の交換のみではなく、水槽に敷かれた石は、その表面に付着した餌等を洗って除去する必要がある。
【考案の開示】
【考案が解決しようとする課題】
【０００６】
本考案は、水槽に張られた水の表面に投入した餌のうち、魚が食べずに底に沈み、敷かれている石と石の間に入り、更にはそれらの餌が腐敗することのないように、これら沈んで行く餌を途中で確実に受けるようにした鑑賞用魚に餌を与える際に使用する用具を提供することにある。
【課題を解決するための手段】
【０００７】
本考案の鑑賞用魚への餌の投入用具は、筒状の餌投入口と受け皿とを適宜な支持部材にて連結、支持する構造として、餌投入口と受け皿との間に所定の間隔を有するように構成したもので、水槽内に張られた水内に設置して使用し、水槽内に設置した時に餌投入口が水槽内に張られた水の表面付近に位置すると共に、餌投入口と受け皿との間に魚が自由に出入りし得る間隙を設けたものである。
【０００８】
このような構成の本考案の鑑賞用魚ヘ餌を与えるための用具は、魚に餌を与える際に、餌投入口内に餌を投入することにより餌投入口内の水の表面に餌を浮かせ、この餌投入口と受け皿との間に形成された間隙より入った魚が浮いている餌を食べることができると共に、水面より沈んだ餌は受け皿にて確実に受け、この受け皿上の餌も魚が食べることができるものである。
【考案の効果】
【０００９】
本考案の鑑賞用魚ヘ餌を与えるための用具は、餌投入口が水面より一部分突出することにより餌の投入箇所を一定の範囲内に特定でき、魚が食べずに底に沈んだ餌は、確実に受け皿にて受けることができ、したがってこれら餌の除去や洗い流しが容易であり、水槽のよごれの防止になる。又、餌を投入する箇所が特定され、それと共に餌が餌投入口より脇へ流れ出ることがなく、餌が水槽の側面等に付着することもなく、常に汚れのない好ましい状態にて、魚を鑑賞し得るという効果もある。
【考案を実施するための最良の形態】
【００１０】
本考案の魚に餌を与える際に用いる用具に関する実施の形態を、図示する実施例をもとに説明する。
【実施例１】
【００１１】
本考案の実施例１は、図１に示す通りである。この図１において、１は餌投入口、２は受け皿、３は支持部材であって、筒状の餌投入口１とその端面が餌投入口１と同一形状で底面２ａを有する皿状の受け皿２とを平板状の支持部材３にて支持して一体化した構成である。
【００１２】
これら餌投入口１、受け皿２、支持部材３は、例えば透明な合成樹脂材料にて一体に成形加工にて形成するか、餌投入口１、受け皿２、支持部材３を夫々合成樹脂材料にて形成した上で筒状の餌投入口１の下端部と支持部材３の上端とを、および支持部材３の下端と受け皿２の上端部とを接着する等の手段にて夫々接合して一体化して作製する。これにより図示するような形状の用具を形成する。
【００１３】
又、図２は、図１に示す本考案の用具を水槽中に設置した状態を示す。この図２において１０は水槽に張られた水を示し、１１が水面である。又、１２は水槽内に敷かれた敷石で、本考案の用具は水槽に張られた水中に設置され、その時に水槽に張られた水１０の表面（水面１１）が筒状の餌投入口１の中間部分に来るように設置する。
【００１４】
又、餌投入口１と受け皿２との間隔、つまり支持部材３の図１において上下方向の長さＬは、支持部材３が存在しない空間部分が鑑賞用魚が自由に通り抜けられるように、更に本考案の用具の外より自由に筒状の餌投入口１に入り、又この餌投入口１より自由に抜け出すことができるようにその長さが設定してある。
以上述べたように、本考案の用具は、その全体の長さ（高さ）が用具を水槽内に設置した時に餌投入口１の上端が水面１１より一部突出するようにして、この餌投入口１内の水面に餌を投入し得るようにし、又、餌投入口１と受け皿２との間を魚が自由に通り得る間隔にして、魚が餌投入口１内の水面に投入された餌を食べ得るようにしてある。
【００１５】
更に餌投入口１と受け皿２とをその端面が同一の形状、同一の大きさでしかも互いに上下方向同じ位置に並び配置されるように支持部材３にて一体化されていることにより、魚が食べ残して沈んだ餌等を必ず受け皿２にて受け、その受け皿２上の餌も魚が食べることができるようにしてある。
【００１６】
これにより、本考案の用具を使用した後にこれを引き上げ取り出した時に、餌が水槽内特に水槽の底面１３や底面１３に敷かれた敷石１２等に残ることがない。したがって、餌の腐敗による水槽内の汚れを防止し得る。
【００１７】
以上述べた本考案の実施例１は、餌投入口１と受け皿２を結合支持する支持部材３が１枚の平板状の部材よりなるが、これに限ることはない。例えば比較的幅の狭い棒状部材を一つ又は複数用いてもよい。いずれにせよ、餌投入口１と受け皿２とを確実に支持し得ると共に、魚が自由に通り抜けることができ、魚が餌投入口１内の水面に浮かぶ餌と受け皿２上の餌とを食べ得る構成であればよい。
【００１８】
又、実施例１の餌投入口１と受け皿２との端面が同一の形状で、同一の大きさであるがこれに限るものではない。
【００１９】
両者の端面形状は、実施例１のような４角形のほか例えば５角形、６角形等の多角形やその他自由な形状とすることが可能である。
【００２０】
又、両者の大きさは同一である必要はなく、餌投入口１に投入された餌で、魚が食べることなく水面より沈んだ餌を受け皿にて確実に受け得る大きさであればよい。したがって、受け皿の大きさ（面積）は、餌投入口の断面積より多少大きい方が望ましい。
【００２１】
この場合、支持部材３を傾斜させて餌投入口１と受け皿２に結合する等により一体化し得る。
【００２２】
尚、本考案の用具を水槽に設置する場合、用具が傾いたり移動する等不安定である。そのために図２に示すように掛け金具等を設け、水槽壁面に取り付けて使用することが望ましい。又このような掛け金具等を設けることにより、壁面より離れた箇所にて餌を与える場合、例えば前記掛け金具等を一方の手にて保持して水槽の中央等の適宜位置に移動し、他方の手にて餌を投入するか、別の人に餌を投入してもらうなり、魚の動きやその他の状況に応じた適切な位置でしかも安定した餌の投入が可能になる。
【００２３】
又、餌投入後、水面から沈んで受け皿２内に入った餌も魚により食べることが可能である。
【００２４】
図３は、本考案の用具の受け皿の他の例で、受け皿の底面が中央が高くなった凸状４とした例である。
【００２５】
受け皿２をこのような形状にすることにより、水面より沈んで受け皿にて受けた餌が、凸状４の裾部に集まって魚が食べ易くなり、無駄なく食べるようになる。
【００２６】
この例のように、受け皿２の底面は、平面に限ることなく、沈んだ餌を確実に受け得るものであれば、どのような形状でもよい。
【００２７】
又、実施例１の鑑賞用魚に餌を与える用具は、合成樹脂材料にて形成されたものであるが、陶器、磁器等の焼き物にて形成することも可能である。
【産業上の利用可能性】
【００２８】
本考案は、熱帯魚・金魚等の鑑賞用魚に餌を与える際に用いる用具で、水槽内の適宜位置にて餌を投入し得て、しかも水面より沈んだ餌は受け皿にて受けることにより、無駄なく食べ得ると共に、底に敷かれた石に餌が付着することなく餌の腐敗による水槽内の水の汚れを防ぐことができる。
【図面の簡単な説明】
【００２９】
【図１】本考案の実施例１の斜視図
【図２】本考案の実施例１の用具の使用例を示す図
【図３】本考案の用具受け皿の他の例を示す図
【符号の説明】
【００３０】
１    餌投入口
２    受け皿
３    支持部材
４    凸状
１０  水槽に張られた水
１１  水面
１２  敷石
１３  底面
【図１】
0003149133.tif 000003
【図２】
0003149133.tif 000004
【図３】
0003149133.tif 000005